(57)【要約】      （修正有）【課題】前ポケットに装飾部を設けて学童の購買意欲を喚起するランドセルを提供する。【解決手段】主収納室５、副収納室７および前ポケット部１０からなるランドセル本体２において、前ポケット部１０は、正面板１１の表面に斬新な任意輪郭形状に打ち抜いた装飾窓孔２１と、該装飾窓孔２１の裏側に光を乱反射させて立体的に見せる装飾地２３と、該装飾地２３の裏面に装飾地２３を保護する保護裏地を接着すると共に、装飾窓孔２１の周縁を縫糸２６で縫着した装飾部２０を設け、内部にランドセル１の所有者の氏名や学年などを表記した記名板を収容する記名ポケット部と、キーホルダーやお守りなどの小物を吊下げる少なくとも１以上の吊下具を取付ける。【選択図】図２
0003213916.tif 000002
【実用新案登録請求の範囲】
【請求項１】
主収納室（５）、副収納室（７）および前ポケット部（１０）からなるランドセル本体（２）において、前記前ポケット部（１０）は、表面に任意輪郭形状の装飾部（２０）を設け、内部にランドセル（１）の所有者の氏名や学年などを表記した記名板（３７）を収容する記名ポケット部（３０）と、キーホルダーやお守りなどの小物を吊下げる少なくとも１以上の吊下具（４０）を取付けてなることを特徴とするランドセル。
【請求項２】
前記装飾部（２０）は、正面板（１１）の表面を任意輪郭形状に打ち抜いて形成した装飾窓孔（２１）と、該装飾窓孔の裏側に光を当てると乱反射して模様が立体的に見える装飾地（２３）と、該装飾地の裏面に装飾地（２３）を保護する保護裏地（２５）をそれぞれ重合接着してなることを特徴とする請求項１記載のランドセル。
【請求項３】
前記装飾部（２０）は、正面板（１１）の裏面に取付けた装飾地（２３）と、保護裏地（２５）とを各装飾窓部（２１）の周縁に縫糸（２６）でそれぞれ縫着し、各装飾窓部（２１）の周縁にステッチ状の糸模様を形成してなることを特徴とする請求項１または２記載のランドセル。
【請求項４】
前記装飾部（２０）に設けた装飾地（２３）は、ホログラムフィルムまたはホログラムシートからなることを特徴とする請求項２または３記載のランドセル。
【請求項５】
前記記名ポケット部（３０）は、上方に記名板（３７）を出し入れする開口部（３５）を有する任意形状のポケット地（３１）の正面に表示窓部（３２）を形成し、該表示窓部の内側に透明または半透明な窓板（３３）を取付けてなることを特徴とする請求項１記載のランドセル。
【請求項６】
前記吊下げ具（４０）は、Ｕ字形に折り曲げた吊下帯部（４１）の下端に支持環（４３）を取付けて前記記名ポケット部（３０）の片側または両側に取付けてなることを特徴とする請求項１記載のランドセル。
」
【考案の詳細な説明】
【技術分野】
【０００１】
本考案は、ランドセルを構成する前ポケットの改良に関するものである。
【背景技術】
【０００２】
ランドセルは、教科書やノートなどを収納する主収納部と各種教材を収容する副収納部と小物などを収容する前ポケットを皮革または合成皮革などにより形成し、前記前ポケットは、収容物の落下や収容した収容物の紛失などを防止するための開口部にスライドファスナーを取付けて開閉可能に形成し、前板部の中央に設けた表示窓部は、裏面にランドセル使用者の名前、学年、組などを表記した記名板を収納する記名ポケット部を設けてある。
【０００３】
また、前記記名ポケット部は、正面板に学童の名前やクラスを表記した記名板を表示する表示窓部を設けてあることから、ランドセルの蓋板を開けるだけで、簡単に学童の個人情報を入手することができる。そのため、前ポケットの正面板に記名窓部を設けずに、前ポケットの内部に記名板を収納する記名ポケット部を設けたものが広く知られている（特許文献１、２）。
【先行技術文献】
【特許文献】
【０００４】
【特許文献１】特開２０１６−２０９４３９号
【特許文献２】実用新案登録第３１５５９９９号
【０００５】
しかし、前者の前ポケットは、記名窓部を前ポケットの内部に収納し、且つ、前ポケットを着脱可能に取付けてあるため、取付構造が複雑で製造工程が多く面倒である。さらには、正面板の表面に縫い糸模様を設けてあるだけで、ランドセルの差別化を図ることができない。後者のランドセルに設けた前ポケットは、正面板の表面が無模様にして、開口部を上面と両側マチ部まで大きく開口させ、内部に小物収容ポケットと吊下具を設けてある。そのため、前者ランドセルと同様にスライドファスナーの取付け工程が複雑で面倒であることからコストがかかり大変不経済であるなどの問題点を有している。
【考案の概要】
【考案が解決しようとする課題】
【０００６】
本考案が解決しようとする課題は、前ポケットの正面板に斬新なデザインの装飾部を設けてランドセルの高級感を向上させて学童の注意を喚起し、且つ、前ポケットの内部に吊下げ具と学童の名前やクラスを表記した記名板を収容する記名ポケット部を設けて外部から見えなくして個人情報の流失を防止すると共に、ポケット内の小物を整理整頓し、また、収容物の取り出しを容易にすることを目的とする。
【課題を解決するための手段】
【０００７】
上記課題を達成するために本考案は、主収納室５、副収納室７および前ポケット部１０からなるランドセル本体２において、前記前ポケット部１０は、表面に任意輪郭形状の装飾部２０を設け、内部にランドセル１の所有者の氏名や学年などを表記した記名板３７を収容する記名ポケット部３０と、キーホルダーやお守りなどの小物を吊下げる少なくとも１以上の吊下具４０を取付けてなることを特徴とする。また、前記装飾部２０は、正面板１１の表面を任意輪郭形状に打ち抜いた装飾窓孔２１と、該装飾窓孔の裏側に光を当てると乱反射して模様が立体的に見える装飾地２３と、該装飾地の裏面に装飾地２３を保護する保護裏地２５をそれぞれ重合接着してなることを特徴とする。さらには、前記装飾部２０は、正面板１１の裏面に取付けた装飾地２３と、保護裏地２５とを各装飾窓部２１の周縁に縫糸２６でそれぞれ縫着し、各装飾窓部２１の周縁に糸模様を形成してなることを特徴とする。さらにはまた、前記装飾部２０に設けた装飾地２１は、ホログラムフィルムまたはホログラムシートからなることを特徴とする。また、前記記名ポケット部３０は、上方に記名板３７を出し入れする開口部３５を有する任意形状のポケット地３１の正面に表示窓部３２を形成し、該表示窓部の内側に透明または半透明な窓板３３を取付けてなることを特徴とする。さらには、前記吊下げ具４０は、Ｕ字形に折り曲げた吊下帯部４１の下端に支持環４３を取付けて前記記名ポケット部３０の片側または両側に取付けてなることを特徴とする。
【０００８】
したがって、前ポケット１０は、正面に学童の興味を引く斬新な輪郭形状のデザインの装飾窓孔２１と、ホログラムを有した装飾地２３とからなる装飾部２０を設けたことにより、ランドセルに対する学童の注意を喚起し、ランドセルの購買意欲を増進させることができる。また、前ポケット１０の正面に装飾部２０を設けたことにより、他の学童のランドセルと差別化を図ることができるので、ランドセルの取り間違いを防止すことができる。さらに、記名ポケット部３０を前ポケット部１０の内部に設けたことにより、外部から記名板３７を見ることができないので個人情報を保護することができる。さらにはまた、前ポケット１０の内部に吊下げ具４０を設けたことにより、ポケット内を整理することができるのでキーホルダーなどの小物がすぐに取り出せ、また、紛失を防止することができる。
【図面の簡単な説明】
【０００９】
【図１】図１は蓋板を開いたランドセルの斜視図である。
【図２】図２はランドセル本体の前ポケットを示す正面図である。
【図３】図３は前ポケットの正面板を一部破断した正面図である。
【図４】図４は前ポケットの中央縦断面図である。
【図５】図５は図４のＡ点線部分拡大断面図である。
【図６】図６は図４のＢ点線部分拡大断面図である。
【考案を実施するための形態】
【００１０】
本考案の実施の形態を図面に基づいて説明すると、図１は蓋板を開いたランドセルの斜視図、図２はランドセル本体の前ポケットを示す正面図、図３は前ポケットの正面板を一部破断した正面図、図４は前ポケットの中央縦断面図、図５は図４のＡ点線部分拡大断面図、図６は図４のＢ点線部分拡大断面図である。ランドセル１は、天然皮革または合成皮革などにより形成されたランドセル本体２と、該ランドセル本体２の上面全体を覆う蓋板５０（かぶせ）と、ランドセル本体を背負う背負いベルト（図示せず）とにより構成してある。前記ランドセル本体２は、教科書やノートなどを収納する主収納室５と、各種教材などを収容する副収納室７と各種小物などを収納する前ポケット１０とにより構成されている。
【００１１】
前記前ポケット１０は、図２、３、４に示すごとく、前後方向に位置する正面板１１と背面板１２と、前記正面板１１の左右両側と底面部を背面板方向に折り曲げてそれぞれマチ部を形成し、前記正面板１１の上縁に形成した開口部１５にスライドファスナー１７を取付けて開閉可能に形成してある。
【００１２】
前記前ポケット１０は、表面に任意輪郭形状の装飾部２０を設け、該装飾部は、学童の興味を引く斬新な輪郭形状のデザインを正面板１１の表面を打ち抜いて形成した装飾窓孔２１と、該正面板の裏側に学童の注意を喚起する光と輝きを有する装飾地２３と、該装飾地の裏面に装飾地が切れたり破れたりするのを防止する保護裏地２５とからなり、該正面板の裏面に取付けた装飾地２３と保護裏地２５とをそれぞれ接着すると共に、前記装飾窓部２１の周縁を縫糸２６でステッチ状の糸模様に縫着してある。
【００１３】
前記装飾部２０は、一般的な装飾であるハート図形、リボン図形または花柄図形などではなく、抽象的で斬新なデザイン、例えば、幾何学模様などからなる装飾窓孔２１を正面板１１の表面を打ち抜いて形成し、該装飾窓孔から内部の装飾地２３がキラキラと立体的で虹色模様に輝かせて見せることができる。
【００１４】
したがって、前ポケットの正面に装飾部２０を大きく設けたことにより、斬新な装飾窓部２１の形状と、周縁に縫糸２６で設けたステッチ模様と、装飾窓部２１の内側にホログラムからなる装飾地２３とにより、ランドセルに高級感を生じさせると共に、ランドセルに対して学童の注意を喚起して購買意欲を増進させることができる。
【００１５】
更には、前ポケット１０の正面に装飾部２０を設けたことにより、他の学童のランドセルとの差別化を図ることができるので、ランドセルの取り間違いを防止すことができる。
【００１６】
前記装飾地２３は、光の干渉現象を利用して立体的で虹色模様の輝きを表現したもので、いわゆるホログラムフィルムまたはホログラムシートからなり、色彩は多種多様で、好みの彩色からなる装飾地２３を取付けることができる。
【００１７】
前ポケット１０は、開口部１５にスライドファスナー１７を取付けて開閉可能に形成したことにより、小物などの収容物が落下して紛失するのを防止することができる。さらに、図３、４に示すごとく、内部にランドセル１の所有者の氏名や学年などを表記した記名板３７を出し入れ可能に収容する記名ポケット部３０と、キーホルダーやお守りなどの小物を着脱可能に吊下げることができる少なくとも１以上の吊下具４０を前記記名ポケット部３０の片側または両側に取付けて形成してある。  
【００１８】
前ポケット１０の内部に記名ポケット部３０を取付けたことにより、外部から簡単に見ることができないので、記名ポケット部３０に収納した記名板３７に表記した学童の個人情報を保護することができる。
【００１９】
前記記名ポケット部３０は、図３、６に示すごとく、任意輪郭形状をしたポケット地３１と、該ポケット地の表面側に設けた表示窓部３２と、該表示窓部の内側に取付ける透明または半透明な窓板３３とにより構成してある。
【００２０】
前記記名ポケット部３０のポケット地３１は、両側と下辺を前記背面板１２に縫着し、上方に設けた開口部３５から記名板３７を出し入れ可能に形成してある。前記ポケット地３１の輪郭形状は、学童が興味を示す矩形、正方形またはハート形さらには漫画やアニメーションのキャラクターなどを形成してもよい。
【００２１】
前記記名板３７は、合成樹脂板またはボール紙に合成樹脂材を含浸させて圧縮成形した板材などを所定の大きさに切断してなり、ボール紙に合成樹脂材を含浸させた板材を使用することにより、安価で折れ曲がるのを防止でき安心して使用することができる。また、記名板３７は、表側に設けた記名部（図示せず）にランドセルの持主である学童の名前、学年、組などを表記し、学童が進級するごとに新しいものに交換可能に形成してある。
【００２２】
前記吊下具４０は、図３に示すごとく、前ポケット１０の内部で背面板１２側の壁面に取付けるＵ字状に折り曲げた吊下帯地４１と、該吊下帯地に吊下げる吊下環４２とからなり、吊下環４２を下げた吊下帯地４１の上方を前記背面板１２の壁面に取付けてある。
【００２３】
この吊下具４０は、前記したごとく、記名ポケット部３０の片側または両側に取付け可能に形成してある。したがって、前ポケット１０の内部に収納するキーホルダーやお守りなどの小物を吊下げて他の収容物と混ざって分からなくなるのを防止することができる。さらには、前記吊下具４０に使用する吊下環４２は、周知のＤ環やなす環を使用することにより、収容する小物の着脱が容易で、製造コストも安価で経済的である。
【００２４】
以下、本考案の実施形態の作用について説明すると、ランドセル１を構成するランドセル本体２の前ポケット１０の正面板１１の表面に設けた装飾部２０は、幾何学模様の個性的なデザインの輪郭形状をした装飾窓孔２１から、裏側に張付けたホログラムからなる装飾地２３の一部を露出させることにより、見る角度により装飾地２３が装飾窓部２１をとおしてキラキラと立体的で虹色模様に輝かせることができる。
【００２５】
さらに、装飾部２０は、装飾窓部２１の裏側に張付けたホログラム地からなる装飾地２３が、薄いフィルムまたはシート材からなるため、装飾地２３の裏面に保護裏地２５を接着すると共に、装飾窓部２１の周縁で、装飾地２３と保護裏地２５とを縫糸２６で縫着して装飾窓部２１の周縁にステッチ状の糸模様を形成してある。
【００２６】
したがって、前ポケット１０の正面板１１に設けた装飾部２０によりランドセル１に高級感を生じさせることができ、且つ、目立つ装飾部２０は、学童の優越感を満足させることができ、さらに、ランドセル１を求めるときに学童の注意を喚起し購買意欲を増進させることができる。
【００２７】
また、前ポケット１０の正面板１１に設けた装飾部２０は、斬新なデザインであることから、他のランドセルとの差別化を図ることができるので、ランドセルの取り間違えを防止することができる。
【００２８】
前ポケット１０の内部に設けた記名ポケット部３０は、背面板１２の壁面に取付けて外部から見えなくすることにより、ランドセル１の蓋板５０を開けただけでは記名板３７が見えないので学童の個人情報を保護することができる。
【００２９】
さらに、背面板１２の内壁面に吊下具４０を前記記名ポケット部３０の片側、または両側に取付けることにより、キャラクター人形やキーホルダーやお守りなどを吊下げることにより、前ポケット１０内がゴチャゴチャにならずに整理することができる。さらには、吊下具４０にキーホルダーを吊下げることにより、キーなどの紛失を防止することができる。
【００３０】
記名ポケット部３０は、学童の個人情報を保護するだけでなく、ポケット地３１の輪郭形状をハート型や動物図形などの任意形状に形成することにより、個性的でインパクトのあるランドセルを提供することができる。
【符号の説明】
【００３１】
１    ランドセル
２    ランドセル本体
５    主収納室
７    副収納室
１０    前ポケット
１１    正面板
１２    背面板
１５    開口部
１７    スライドファスナー
２０    装飾部
２１    装飾窓孔
２３    装飾地
２５    保護裏地
２６    縫糸
３０    記名ポケット部
３１    ポケット地
３２    表示窓部
３３    窓板
３５    開口部
３７    記名板
４０    吊下具
４１    吊下帯部
４２    吊下環
５０    蓋板
【図１】
0003213916.tif 000003
【図２】
0003213916.tif 000004
【図３】
0003213916.tif 000005
【図４】
0003213916.tif 000006
【図５】
0003213916.tif 000007
【図６】
0003213916.tif 000008